(57)【特許請求の範囲】
【請求項１】
作業者が両手で把持するための２箇所の把持部を有し、一方の把持部の指先位置が弾性変形可能なカバー体で覆われた電動工具において、
前記カバー体の内側に照明具を点灯するための照明スイッチを備え、該照明スイッチは、前記一方の把持部を把持した手の把持力により前記カバー体を弾性変形させてオン操作され、把持した手の把持力を緩める操作に基づいてオフ操作されて前記照明具を消灯させる構成とした照明装置。
【発明の詳細な説明】
【０００１】
【発明の属する技術分野】
この発明は、例えばレシプロソー等の電動工具において、作業部位を明るく照らすための照明装置に関する。
【０００２】
【従来の技術】
例えば実開平５−４９２８３号公報に開示されているように、作業部位を明るく照らすための照明装置を備えた電動工具が提供されている。従来の照明装置には、オンオフ用のスイッチ（照明スイッチ）をオン操作して電球あるいはＬＥＤ（発光ダイオード）等の照明具を点灯させる構成としたものの他、工具本体の作動に連動して点灯、消灯する構成としたものが提供されていた。これらの照明装置によれば、夜間等暗い場所での作業であっても作業部位を明るく照らすことができるので効率よく作業を行うことができる。
【０００３】
【発明が解決しようとする課題】
しかしながら、前者の構成のものは、スイッチをオンオフ操作する手間を必要とする点で使い勝手が悪かった。すなわち、例えば上記レシプロソーを用いて切断作業を行う場合に、作業者は一方の手で工具本体後部のメインハンドルを把持し、他方の手で工具本体前部のゴム製フロントカバー部を把持して工具本体（レシプロソー）の位置を保持するのであるが、照明装置を点灯または消灯するためには片方の手を工具本体から離して照明スイッチをオンオフ操作する必要があるため切断作業を一旦中止しなければならず、この点で使い勝手が悪かった。
一方、後者の構成のものは、照明スイッチをオンオフ操作する手間は必要ないものの、工具本体の作動に連動して点灯消灯させるための制御回路等を必要とし、このため構造が複雑になってコストアップを招く問題があった。
本発明では、工具本体を保持した手をわざわざ移動させることなく保持状態のまま照明スイッチをオンオフすることができる照明装置を提供することを目的とする。
【０００４】
【課題を解決するための手段】
このため、本発明は前記請求項に記載した構成の照明装置とした。
請求項１記載の照明装置によれば、作業者が作業を開始するために、一方の手で一方の把持部を把持し、他方の手で他方の把持部を把持して電動工具の先端工具を作業部位にセットした後、当該電動工具を作動させた段階でその作動に伴う反動により該電動工具が位置づれしないよう一方の手の握りを強くして当該電動工具を強固に把持すると、カバー体が弾性変形してスイッチがオンし、これにより照明具が点灯して作業部位が明るく照らされる。
このように電動工具を持つ動作を利用して照明スイッチがオンされる構成であるので、把持した手を一旦離してスイッチ操作をする必要がなく、従って作業を中断することなく照明具を点灯させることができるので従来に比してその使い勝手を向上させることができる。また、工具本体の作動に連動して点灯させる構成ではなく、スイッチを手操作によりオンさせる構成であるので、従来の連動式のようにコストアップを招くこともない。
また、請求項１記載の照明装置によれば、把持した一方の手の握りを弱くするとスイッチがオフして照明具が消灯するので、当該照明装置の使い勝手を一層よくすることができる。また、タイマー機能を持たせることにより、把持力を緩めた後、一定時間経過後に消灯させることもできる。
【０００５】
【発明の実施の形態】
次に、本発明の実施の形態を図１〜図６に基づいて説明する。本実施形態では、電動工具の一例としていわゆるレシプロソー（往復動切断工具）を例示する。図１は、このレシプロソー１の全体を示している。このレシプロソー１は、本体部２の後部（図１において左端部）にＤ形のメインハンドル３（主把持部）を備えており、このメインハンドル３を一方の手で把持し、他方の手で当該レシプロソー１の前端部側（後述するフロントケース９の前端部側）を把持して、両手で持った状態で用いる。従って、本実施形態では、フロントケース９の前端部側が把持部として機能する。
メインハンドル３の内周側には押しボタン形式のメインスイッチ４が設けられている。また、このメインハンドル３の後端下部には電源コード３ａが引き込まれている。作業者が一方の手でメインハンドル３を把持し、把持した手の指でメインスイッチ４を引き操作（押し込み操作）すると、電源コード３ａを経て供給される電力により当該レシプロソー１の電源としての電動モータが起動する。この電動モータは本体部２に内蔵されている。なお、図では電動モータは省略されている。
【０００６】
本体部２の前部には、上記したフロントケース９が取り付けられ、このフロントケース９はゴム製のカバー体５により覆われている。このため、図１ではフロントケース９はカバー体５に覆われているため見えてない。図２以下ではその一部が示されている。
フロントケース９には、上記電動モータの回転出力をスライド軸６の軸方向への往復動に変換するための運動変換機構が内蔵されている。この運動変換機構については、従来構成と同様で足り、本実施形態において特に変更を要しないのでその説明および図示を省略する。
スライド軸６の先端側はフロントケース９の前端部から突き出され、この突き出し部分の先端にはブレードＢを取り付けるためのブレード取り付け装置７が取り付けられている。このブレード取り付け装置７についても従来構成と同様で足り、本実施形態において特に変更を要しないので、その説明および図示を省略する。
フロントケース９の前端部には、切断材（図示省略）に押し付けるためのアタッチメント８が取り付けられている。このアタッチメント８のフロントケース９の前端からの突き出し寸法を変更することにより、ブレードＢの切断加工に供される部分（切断材に当たる部分）を変更することができ、これによりブレードＢを無駄なく使用でき、ひいてはその寿命を長持ちさせることができる。
【０００７】
さて、本実施形態のレシプロソー１は、切断部位を明るく照らすための照明装置１０を備えている。この照明装置１０は、回路基板１３と、この回路基板１３上に搭載された２個の発光ダイオード１１，１１（照明具）と、同じく回路基板１３上に搭載された押しボタン形式の照明スイッチ１２を備えており、フロントケース９の前端側部であって、カバー体５の内面側に取り付けられている。この照明装置１０の詳細が、図２および図３に示されている。図示するようにカバー体５の前端側部は側方へ盛り上がり状に形成されており、これにより該カバー体５の前端内面側に収容凹部５ａが形成されている。この収容凹部５ａの図２において上下の側壁部には、スリット５ｂ，５ｂが形成されており、このスリット５ｂ，５ｂに回路基板１３の上下端部を弾性的に挟み込んで、当該回路基板１３が収容凹部５ａ内に固定されている。
【０００８】
回路基板１３には透明プラスチック製のスイッチケース１４が取り付けられている。スイッチケース１４は、スリット５ｂ，５ｂに挟み込まれた上下端部を除いて、回路基板１３の図２において左側面側（発光ダイオード１１，１１が搭載された側）を覆っている。このスイッチケース１４により発光ダイオード１１，１１および回路基板１３が外部から遮蔽されて、その防塵がなされている。
一方、回路基板１３上に搭載された照明スイッチ１２はスイッチケース１４の側面から突き出されている。この照明スイッチ１２が押されると、２個の発光ダイオード１１，１１が発光し、これにより作業部位が明るく照らされる。
回路基板１３は、配線コード１５を経て本体部２に内蔵された電源回路に接続されており、この電源回路から当該照明装置１０に電源が供給される。この配線コード１５は、一端が回路基板１３に接続され、他端側がフロントケース９と本体部２との接合部付近で本体部２側の配線コード１６に接続されている。
【０００９】
この配線コード１５は、回路基板１３からフロントケース９の後端部付近に至る範囲で、カバー体５の内面前後方向に沿って設けた保持溝５ｅ内に嵌め込まれて弾性的に保持された状態で本体部２側に配線されている。配線コード１５が保持溝５ｅ内に嵌め込まれた様子が図５に示されている。
図４に示すようにフロントケース９と本体部２との接合部付近で、配線コード１５と配線コード１６はコネクタ接続されている。このコネクタ接続部は、カバー体５の後端縁から２本の切り込みを入れて形成した蓋部５ｆに覆われている。この蓋部５ｆを指で持ち上げる等すれば、コネクタ接続部を簡単に露出させることができ、これにより配線コード１５，１６の接続、切り離し作業を簡単に行うことができる。但し、図６に示すようにこの蓋部５ｆの内面側には係合縁部５ｇ，５ｇが形成されており、この係合縁部５ｇ，５ｇを本体部２側に形成したリブ２ａ，２ａに弾性的に係合させることにより、通常はコネクタ接続部を覆った状態に保持され、これにより当該レシプロソー１の使用中等において蓋部５ｆが開きっぱなしになったり、ぶらぶら垂れ下がったりすることがないようになっている。
【００１０】
次に、前記照明スイッチ１２に対向部位であってカバー体５の内面側には、半球形状の当接部５ｃが膨出形成され、この当接部５ｃの外面側には円板形状の指当て部５ｄが膨出形成されている。この指当て部５ｄは、作業者が指で触れて容易にその位置を探り当てるために必要かつ十分な大きさおよび厚さに形成されている。作業者が指先でこの指当て部５ｄを押すと、該指当て部５ｄの周辺が弾性変形することにより当接部５ｃが移動して照明スイッチ１２に当接し、これにより該照明スイッチ１２が押し込み操作（オン操作）される。
上記指当て部５ｄは、カバー体５の前部側面であって、作業者が当該レシプロソー１の前部を把持した時に、丁度指先が押し当てられる位置（指先位置）に設けられている。このため、作業者が片手をレシプロソー１の前部に添えて軽く把持すると、指先がこの指当て部５ｄに押し当てられ、さらに指先に力を込めて握りを強くすると、指当て部５ｄおよび当接部５ｃが移動して照明スイッチ１２がオン操作される。
逆に、手の握りを緩めると、照明スイッチ１２はオフ側に戻されて発光ダイオード１１，１１の発光が停止し、また指当て部５ｄおよび当接部５ｃがカバー体５の弾性力により元の位置に復元する。
【００１１】
以上のように構成した本実施形態の照明装置１０によれば、切断部位を明るく照らす発光ダイオード１１，１１をオンオフするための照明スイッチ１２が、当該レシプロソー１の前部を把持した手の指先が位置する指先位置に配置されているので、作業者は把持した手を移動させることなくレシプロソー１を把持した状態のまま照明スイッチ１２をオンオフ操作することができ、これにより切断作業を中断することなく照明装置１０を点灯したり、消灯したりすることができる。また、照明スイッチ１２をオンオフ操作して点灯、消灯する構成であるので、工具本体の作動に連動して点灯消灯させる構成とした場合のように大きなコストアップを招くことがない。
すなわち、作業者の把持動作および把持した手の握りの変化（強弱）を利用して照明スイッチ１２をオンオフさせる構成であるので、低コストで使い勝手がよい照明装置１０を提供することができる。
さらに、照明スイッチ１２がカバー体５の内側に配置されて外部から遮蔽されているので、特別の手段によることなくその防塵をすることができる。
【００１２】
以上説明した実施形態には種々変更を加えることができる。例えば、発光ダイオード１１，１１と照明スイッチ１２が回路基板１３上に搭載された構成を例示したが、照明スイッチ１２のみをフロントハンドル前端側部の指先位置（作業者から見て右側部）に配置し、回路基板および発光ダイオードを、例えばフロントハンドル前端の反対側側部（作業者から見て左側部）、あるいは下面側等の別の部位に配置する構成としてもよい。
また、照明具として発光ダイオード１１，１１を例示したが、これに代えて通常の電球を用いる構成としてもよい。
さらに、フロントケース９を覆うカバー体としてゴム製のものを例示したが、その他の素材であって弾性を有する素材に置き換えることができる。また、カバー体の全体が弾性を有する必要はなく、指先位置（照明スイッチが配置された位置）のみ弾性を有し、その他の部位は一定形状の剛体であるカバー体を用いることもできる。
【００１３】
また、当該照明装置１０にタイマー機能を追加して、照明スイッチ１２がオフ操作された後一定時間経過後に、発光ダイオード１１，１１の発光を停止（消灯）する構成としてもよい。また、照明スイッチにいわゆるロックオンスイッチを用いて、一旦押し込み操作した後は再度押し込み操作するまでオン状態が保持される構成としてもよい。
さらに、照明装置１０を備える対象（電動工具）としてレシプロソー１を例示したが、前記した電気ドリル、アングルドリル、グラインダ、ねじ締め機等の回転工具、携帯マルノコやジグソー等の切断工具等に広く適用することができる。また、電動工具の前部に設けたサイドグリップ、補助ハンドルの指先位置に照明スイッチを配置してもよい。要は、通常両手で主把持部と補助把持部を持って使用する電動工具において、補助把持部を把持した一方の手の指先の位置（指先位置）に照明スイッチを配置することにより、電動工具の把持動作を利用して照明を点灯、消灯することができ、これにより作業を中断することなく点灯、消灯することができる。
【図面の簡単な説明】
【図１】本発明の実施形態を示す図であり、レシプロソーの全体側面図である。
【図２】図１の（２）−（２）線矢視図であって、フロントケースおよび照明装置の正面図である。
【図３】図１の（３）−（３）線矢視図であって、照明装置の縦断面図である。
【図４】フロントケースと本体部の接合部周辺の縦断面図であって、配線コード１５と配線コード１６のコネクタ接続部の側面図である。
【図５】図１の（５）−（５）線断面矢視図であって、フロントケースの横断面図である。
【図６】図１の（６）−（６）線断面矢視図であって、コネクタ接続部を塞いだ状態の蓋部を示す図である。
【符号の説明】
１…レシプロソー（電動工具）、Ｂ…ブレード
２…本体部
３…メインハンドル、３ａ…電源コード
４…メインスイッチ
５…カバー体
５ａ…収容凹部、５ｂ…スリット、５ｃ…当接部、５ｄ…指当て部、５ｅ…保持溝、５ｆ…蓋部、５ｇ…係合縁部
７…ブレード取り付け装置
８…アタッチメント
９…フロントケース
１０…照明装置
１１…発光ダイオード（照明具）
１２…照明スイッチ
１３…回路基板
１４…スイッチケース
１５…配線コード（制御回路側）
１６…配線コード（本体部側）
【図１】
0003998920.tif 000002
【図２】
0003998920.tif 000003
【図３】
0003998920.tif 000004
【図４】
0003998920.tif 000005
【図５】
0003998920.tif 000006
【図６】
0003998920.tif 000007